(57)【要約】【課題】ディスクトレイのイジェクト機構に関する部品点数を削減し、製造コストの低減および製造性の向上を図ることが可能な光ディスク装置を提供する。【解決手段】光ディスク装置は、ガイド部を有したケース１０と、ケースに対して引き出し可能にケース内に配置され、光ディスクを積載するディスクトレイ１２と、ディスクトレイに摺動自在に取り付けられているとともに、ケースのガイド部に摺動自在に支持されたレール３０ａ、３０ｂを有し、ディスクトレイをケース内に位置した所定の装填位置と、ケースから排出される引き出し位置との間を移動自在に支持したガイド機構と、ディスクトレイを装填位置にロックするロック機構と、ディスクトレイを前記装填位置から前記引き出し位置方向に排出するイジェクト機構と、を具備している。イジェクト機構は、少なくとも一方のレールあるいはディスクトレイに形成された溝部４０と、溝部に配置されディスクトレイを引き出し位置方向に付勢する圧縮コイルばね４４と、を有している。【選択図】図１１
2009015999.tif 000002
【特許請求の範囲】
【請求項１】
ガイド部を有したケースと、
前記ケースに対して引き出し可能に前記ケース内に配置され、光ディスクを積載するディスクトレイと、
前記ディスクトレイに摺動自在に取り付けられているとともに、前記ケースのガイド部に摺動自在に支持されたレールを有し、前記ディスクトレイを前記ケース内に位置した所定の装填位置と、前記ケースから排出される引き出し位置との間を前記ケースに対して移動自在に支持したガイド機構と、
前記ディスクトレイを前記装填位置にロックするロック機構と、
前記レールあるいは前記ディスクトレイに形成された溝部と、前記溝部に配置され前記ディスクトレイを前記引き出し位置方向に付勢する圧縮コイルばねと、を有し、前記ディスクトレイを前記装填位置から前記引き出し位置方向に排出するイジェクト機構と、を備えた光ディスク装置。
【請求項２】
前記レールは、前記ディスクトレイの両側縁部にそれぞれ摺動自在に取付けられ、
前記溝部は、少なくとも一方のレールに形成され、前記ディスクトレイの引出し方向に延びているとともに前記ディスクトレイと対向し、
前記圧縮コイルばねは、その中心軸が前記ディスクトレイの引出し方向に一致した状態で前記溝部に配置され、前記レールと前記ディスクトレイとの間に保持され、
前記圧縮コイルばねは、レールに当接した一端と前記ディスクトレイに当接した他端とを有している請求項１に記載の光ディスク装置。
【請求項３】
前記ディスクトレイは、前記ディスクトレイの引出し方向に沿って延びたガイドリブを有し、前記レールは、前記溝部に続いて延びているとともに前記ガイドリブが係合したガイド溝を有し、
前記圧縮コイルばねは、前記溝部を規定しているレールの壁面に当接した一端と、前記ガイドリブの端部に当接した他端とを有している請求項２に記載の光ディスク装置。
【請求項４】
前記レールは、前記壁面から突出しているとともに、前記圧縮コイルばねに係合したボスを有している請求項３に記載の光ディスク装置。
【請求項５】
前記ガイドリブの端部は、前記ディスクトレイの引出し方向に対して斜めに傾斜して延びているとともに前記圧縮コイルばねの他端に当接する当接面を有している請求項３に記載の光ディスク装置。
【請求項６】
前記レールは、合成樹脂あるいは金属により成形されている請求項１に記載の光ディスク装置。
【請求項７】
前記溝部は、前記ディスクトレイに形成され、前記ディスクトレイの引出し方向に延びているとともに前記レールと対向し、
前記圧縮コイルばねは、その中心軸が前記ディスクトレイの引出し方向に一致した状態で前記溝部に配置され、前記レールと前記ディスクトレイとの間に保持され、
前記圧縮コイルばねは、レールに当接した一端と前記ディスクトレイに当接した他端とを有している請求項１に記載の光ディスク装置。
【発明の詳細な説明】
【技術分野】
【０００１】
この発明は、ディスク状の情報記録媒体、例えば円盤状の光ディスクに情報を記録し、または光ディスクから情報を再生する光ディスク装置に関する。
【背景技術】
【０００２】
近年、情報記録再生装置として、ＣＤ（Compact Disc）、ＤＶＤ(Digital Versatile Disk)、ＨＤ−ＤＶＤ(High Definition Digital Versatile Disk)等の光ディスクに対して情報を記録／再生する光ディスク装置が広く知られている。
【０００３】
光ディスク装置において、例えば、コンピュータに内蔵されるスリム型の光ディスク装置は、偏平な矩形箱状に形成された筐体と、筐体に対して引き出し自在に装着されたディスクトレイと、を備えている。ディスクトレイには、光ディスクを支持および回転するモータおよびターンテーブル、並びに、ターンテーブルに載置された光ディスクに対して情報を記録、再生する光ピックアップ等の駆動部が支持されている。
【０００４】
ディスクトレイは、その両側部が一対の細長いレール部材により摺動自在に支持され、更に、一対のレール部材は、筐体に対して摺動自在に支持されている。これにより、ディスクトレイは、筐体内に位置した所定の装填位置と、筐体から引き出され光ディスクを脱着可能な引き出し位置との間を移動自在に支持されている。光ディスク装置に対して光ディスクを装填する場合、ディスクトレイは筐体から引き出され、このディスクトレイに光ディスクが装着される。その後、使用者の手動操作により、ディスクトレイが再び筐体内の装填位置に移動される。
【０００５】
一般に、ディスクトレイは、イジェクト機構を構成するばね部材により、引き出し方向に付勢されているとともに、装填位置に移動された際には、この装填位置にロックされている。そして、光ディスクのイジェクト時、ロックを解除することにより、ディスクトレイはばね部材により付勢され、筐体から突出した位置に押し出される。
【０００６】
例えば、特許文献１に開示された光ディスク再生装置によれば、ばね部材として、引っ張りばねが用いられ、この引っ張りばねの一端はディスクトレイに設けられたばね受けに固定されている。引っ張りばねの他端にはブロック状のトレイ押し出し部材が取り付けられている。そして、ディスクトレイを引き出し位置から所定の装填位置へ押し込むことにより、途中で、トレイ押し出し部材がレール部材に係合し、更に、ディスクトレイを押し込むことにより、引っ張りばねが引っ張られ付勢力を発生する。光ディスクのイジェクト時、ロックを解除することにより、ディスクトレイは引っ張りばねにより引き出し方向に引っ張られ、筐体から突出した位置に押し出される。
【特許文献１】特開平９−２８２７６３号公報
【発明の開示】
【発明が解決しようとする課題】
【０００７】
しかしながら、上記のように構成された光ディスク装置では、ディスクトレイにばね部材の一端を固定するためのばね受けを形成し、かつ、このばね受けに対してばね部材を取り付ける必要がある。また、ブロック状の押し出し部材を用意し、この押し出し部材をばね部材の他端に取り付ける必要がある。そのため、ばね以外に複数の部品が必要であるとともに、組立時には、これら部品の取付け作業が必要なる。従って、上述した光ディスク装置は、部品点数が多く、それに伴って信頼性も低下する。また、組立作業工程も多くなり、コストアップの要因ともなっている。
【０００８】
この発明は以上の点に鑑みてなされたもので、その目的は、ディスクトレイのイジェクト機構に関する部品点数を削減し、信頼性の向上、製造コストの低減および製造性の向上を図ることが可能な光ディスク装置を提供することにある。
【課題を解決するための手段】
【０００９】
この発明の態様に係る光ディスク装置は、ガイド部を有したケースと、前記ケースに対して引き出し可能に前記ケース内に配置され、光ディスクを積載するディスクトレイと、前記ディスクトレイに摺動自在に取り付けられているとともに、前記ケースのガイド部に摺動自在に支持されたレールを有し、前記ディスクトレイを前記ケース内に位置した所定の装填位置と、前記ケースから排出される引き出し位置との間を前記ケースに対して移動自在に支持したガイド機構と、前記ディスクトレイを前記装填位置にロックするロック機構と、前記レールあるいは前記ディスクトレイに形成された溝部と、前記溝部に配置され前記ディスクトレイを前記引き出し位置方向に付勢する圧縮コイルばねと、を有し、前記ディスクトレイを前記装填位置から前記引き出し位置方向に排出するイジェクト機構と、を備えている。
【発明の効果】
【００１０】
上記構成によれば、ディスクトレイのイジェクト機構に関する部品点数を削減し、信頼性の向上、製造コストの低減および製造性の向上を図ることが可能な光ディスク装置を提供することができる。
【発明を実施するための最良の形態】
【００１１】
以下、図面を参照しながら、この発明の実施形態に係る光ディスク装置について詳細に説明する。
【００１２】
図１は、第１の実施形態に係る光ディスク装置において、ディスクトレイが装填位置に収納された状態を示す斜視図、図２は、光ディスク装置のケース、ディスクトレイ、および光ディスクを示す分解斜視図、図３および図４は、ディスクトレイおよびレールを示す分解斜視図である。
【００１３】
図１および図２に示すように、光ディスク装置は、パーソナルコンピュータ等に内蔵されるスリム型の光ディスク装置として構成されている。この光ディスク装置は、偏平な矩形状のケース１０と、ケース内に引出し自在に配置されたディスクトレイ１２とを備えている。ケース１０は、ケースの底面部を構成するボトムカバー１０ａおよびケースの上面部を構成するトップカバー１０ｂを有している。ボトムカバー１０ａは、板金によりほぼ矩形状に形成され、挿通口１０ｃを除く周縁部がほぼ直角に折曲げられ、側壁を構成している。同様に、トップカバー１０ｂは板金によりほぼ矩形状に形成され、ボトムカバー１０ａに重ねてねじ止めされている。ケース１０の側面部は開口し、ディスクトレイ１２を挿通するための挿通口１０ｃを規定している。
【００１４】
ボトムカバー１０ａは、後述するレールをガイドする一対のガイド部１４を有している。ガイド部１４は、ボトムカバー１０ａの一方の側壁１４ａおよびボトムカバーの中途部を立ち上げて形成された段部１４ｂによってそれぞれ構成されている。ガイド部１４ａ、１４ｂは、互いに平行に対向しているとともに、挿通口１０ｃからこの挿通口と直交する方向に延びている。
【００１５】
ボトムカバー１０ａは、側壁１４ａの後端部、および段部１４ｂの後端部に位置したレール押さえ１６ａ、１６ｂを有している。これらのレール押さえ１６ａ、１６ｂは、板金を折り曲げて形成され、ボトムカバー１０ａの底面と隙間と置いて対向している。
【００１６】
ケース１０内には、光ディスク２０が載積されるディスクトレイ１２、および、ディスクトレイをケースから引出し自在に支持したガイド機構１８が設けられている。  
図２、図３、図４に示すように、ディスクトレイ１２はほぼ矩形状に形成され、光ディスク２０の直径よりも僅かに小さい幅、およびケース１０とほぼ等しい長さを有している。ディスクトレイ１２の上面ほぼ中央部には、光ディスク２０が載置されるターンテーブル２２が設けられ、ディスクトレイの裏面側には、ターンテーブルを回転させる図示しないスピンドルモータが設けられている。ターンテーブル２２はスピンドルモータの回転軸に同軸的に固定されている。また、ターンテーブル２２には、
光ディスク２０は、ターンテーブル２２に設けられた図示しない固定用の爪によってターンテーブル上に固定され、スピンドルモータによりターンテーブルと一体的に回転される。
【００１７】
ディスクトレイ１２には、光ディスク２０に対してレーザ光を照射し、情報を記録、再生する光ピックアップ２４、この光ピックアップ２４を光ディスク２０の径方向に沿って往復移動させる駆動機構２５が設けられている。駆動機構２５は、ステップモータ２３、図示しないガイドロッド、リードスクリュー等を備えている。ディスクトレイ１２の裏面側には、後述するロック機構および図示しない制御回路基板等が設けられている。
【００１８】
ディスクトレイ１２の両側縁には、それぞれ細長いガイドリブ２９ａ、２９ｂが突設されている。ガイドリブ２９ａ、２９ｂは、ディスクトレイ１２の長手方向、つまり、ディスクトレイの引出し方向に沿ってそれぞれ延びている。ガイドリブ２９ａ、２９ｂは、後述するレールと摺動自在に係合する。また、ガイドリブ２９ｂの後端側の端面は、後述する圧縮コイルばねの一端に当接する当接面３１を形成している。
【００１９】
ディスクトレイ１２の前端縁には、細長い矩形板状のフロントパネル２６が取り付けられている。フロントパネル２６はケース１０の挿通口１０ｃに対応した形状および大きさに形成され、ディスクトレイ１２がケース１０内の装填位置に挿入された際、挿通口１０ｃを覆って閉塞する。フロントパネル２６には、ディスクトレイ１２をイジェクト、つまり、ケース１０から引き出す際にロックを解除するためのイジェクトボタン２７、およびディスクトレイ１２の装填動作時に点灯するＬＥＤ２８が設けられている。
【００２０】
ディスクトレイ１２を支持したガイド機構１８は、細長い一対のレール３０ａ、３０ｂを備えている。各レール３０ａ、３０ｂは、ディスクトレイ１２とほぼ等しい長さに形成されている。各レール３０ａ、３０ｂはほぼ矩形状の断面を有し、ディスクトレイ１２の側縁に対向した内面を有している。レール３０ａ、３０ｂの内面にはガイド溝３２がそれぞれ形成され、レールの長手方向、つまり、ディスクトレイ１２の引出し方向に沿って延びている。
【００２１】
レール３０ａ、３０ｂは、ガイド溝３２にディスクトレイ１２側のガイドリブ２９ａ、２９ｂが係合した状態で、ディスクトレイ１２の両側縁部に取り付けられている。これにより、ディスクトレイ１２は、レール３０ａ、３０ｂに対し、ディスクトレイの引出し方向に沿って摺動自在に支持されている。レール３０ａ、３０ｂは、ディスクトレイ１２に設けられたストッパ３４により、ディスクトレイからの抜けが防止されている。
【００２２】
レール３０ａ、３０ｂの後端部上面には、弾性変形可能な係合爪３６がそれぞれ形成されている。また、一方のレール３０ｂの前端部には、後述するロック機構のロックレバーをロック位置に押し戻すための押圧爪３７が形成されている。
【００２３】
一対のレール３０ａ、３０ｂは、ケース１０内に挿入され、ガイド部１４ａ、１４ｂに沿って摺動自在に支持されている。これにより、ディスクトレイ１２は、一対のレール３０ａ、３０ｂを有するガイド機構により、ケース１０内に収納される所定の装填位置と、ケースから排出される引き出し位置との間をケースに対して移動自在に支持されている。レール３０ａ、３０ｂは、ボトムカバー１０ａに形成されたストッパ３８によりケース１０からの抜けが防止されている。また、ディスクトレイ１２の装填位置への移動に伴い、レール３０ａ、３０ｂがケース１０内に押し込まれると、係合爪３６がボトムカバー１０ａのレール押さえ１６ａ、１６ｂとそれぞれ弾性的に係合する。これにより、一対のレール３０ａ、３０ｂは押し込み位置に保持される。
【００２４】
図５、図６は圧縮コイルばねが装着される前のレール３０ｂを拡大して示し、図７、図８、図９は圧縮コイルばねが装着されたレール３０ｂを拡大して示している。更に、図７は圧縮コイルばねが圧縮されていない状態を示し、図８および図９は圧縮コイルばねが圧縮された状態を示している。
【００２５】
図５および図６に示すように、ディスクトレイ１２と対向したレール３０ｂの内面には、圧縮コイルばねを収納するための収納溝（溝部）４０が形成されている。収納溝４０はディスクトレイ１２の側縁に向かって開口している。収納溝４０は、ガイド溝３２に連続して形成され、ディスクトレイ１２の引出し方向に延びている。収納溝４０は、後述する圧縮コイルばねの径とほぼ等しいか、僅かに小さい深さに形成され、また、圧縮コイルばねの圧縮時に所定の荷重が得られる長さに形成されている。
【００２６】
収納溝４０は、ガイド溝３２に対して、ディスクトレイ１２の押し込み側に位置している。収納溝４０の長手方向の一端はガイド溝３２に連通し、他端は、レール３０ｂの壁面により閉じられている。この壁面は、レール３０ｂの内面および収納溝４０と直交して延び、圧縮コイルばねの一端が当接する当接面４２を構成している。  
なお、上記のように構成されたレール３０ａ、３０ｂは、例えば、合成樹脂、あるいは金属によりそれぞれ一体成形されている。
【００２７】
図３、図７ないし図１０に示すように、レール３０ｂの収納溝４０には、イジェクト機構を構成する圧縮コイルばね４４が配置されている。圧縮コイルばね４４は、その中心軸がディスクトレイ１２の引出し方向に一致した状態で収納溝４０に配置され、レール３０ｂとディスクトレイ１２の側縁との間に保持されている。このように、圧縮コイルばね４４は、ばね受け等に取り付けることなく、収納溝４０に配置しただけの構成により、所定位置に保持されている。圧縮コイルばね４４の一端部はガイド溝３２内に延出し、その一端４４ａは、ディスクトレイ１２に突設されたガイドリブ２９ｂの当接面３１と向かい合っている。圧縮コイルばね４４の他方の端４４ｂはレール３０ｂの当接面４２に当接している。
【００２８】
図１１および図１２は、ディスクトレイ１２がケース１０内の装填位置に移動された状態における光ディスク装置の上面および底面をそれぞれ示している。図１１および図１２に示すように、ディスクトレイ１２がケース１０内の装填位置に移動された状態において、一対のレール３０ａ、３０ｂは、ケース１０の最も奥まで挿入され、その後端部に設けられた係合爪がそれぞれレール押さえ１６ａ、１６ｂに係合している。ディスクトレイ１２は、レール３０ａ、３０ｂに沿って装填位置まで押し込まれ、後述するロック機構により、装填位置にロックされている。また、フロントパネル２６はケース１０の挿通口１０ｃを閉塞している。
【００２９】
この状態において、イジェクト機構の圧縮コイルばね４４は、ガイドリブ２９ｂの当接面３１とレール３０ｂの当接面４２とより軸方向に押圧され圧縮されている。これにより、圧縮コイルばね４４は、ディスクトレイ１２を排出する方向、つまり、引出し位置方向への付勢力を蓄えた状態に保持されている。
【００３０】
図１３は、ロック機構のロック状態およびロック解除状態をそれぞれ示している。図１４および図１５は、ディスクトレイ１２がイジェクト機構によりケース１０から引出し方向に押出された状態における光ディスク装置の上面および底面をそれぞれ示している。
【００３１】
図１２および図１３（ａ）に示すように、ディスクトレイ１２を装填位置にロックするロック機構５０は、ディスクトレイ１２の裏面側にロック位置とロック解除位置との間を回動可能に支持されたロックレバー５２、ロックレバーをロック解除位置方向に付勢したばね部材５４、ロックレバーをロック位置に保持するとともに、通電された際にロックレバーの保持を解除しロック解除位置への回動を許容するソレノイド５６を有している。
【００３２】
また、ロック機構５０は、挿通口１０ｃの近傍において、ボトムカバー１０ａの内面に立設されたロックピン５８（図３参照）を有している。ロックレバー５２がロック位置に保持されている状態において、ロックピン５８はロックレバーの移動路上に位置している。そのため、ロックレバー５２はロックピン５８に当接し、ディスクトレイ１２の引出し位置方向への移動を規制し、装填位置にロックする。
【００３３】
ロックレバー５２は、レール３０ｂの近傍に配設されている。ロックレバー５２は、レール３０ｂ側に延出しているとともに弾性変形可能な突起６０を一体に有している。この突起６０は、レール３０ｂの押圧爪３７と係合可能であり、押圧爪によって押圧されることにより、ロックレバー５２をロック解除位置からロック位置へ回動させる。
【００３４】
図１２および図１３（ａ）に示すように、ロック状態において、ロックレバー５２はソレノイド５６によって図示のロック位置に保持されている。これにより、ロックレバー５２がケース１０側のロックピン５８に当接し、ディスクトレイ１２は、引出し位置方向への移動が規制され装填位置にロックされる。
【００３５】
図１３（ｂ）に示すように、光ディスク２０の取出しあるいは装填時、すなわち、ディスクトレイ１２のイジェクト時、イジェクトボタン２７が押されると、ソレノイド５６に通電されソレノイドによるロックレバー５２の保持が解除される。すると、ロックレバー５２はばね部材５４に押圧されロック位置から図示のロック解除位置に回動される。これにより、ロックレバー５２がロックピン５８から外れ、ディスクトレイ１２のロックが解除される。
【００３６】
図１４および図１５に示すように、ロックが解除されると、ディスクトレイ１２は、イジェクト機構の圧縮コイルばね４４の付勢力により引出し位置方向に押圧され、レール３０ａ、３０ｂに沿ってケース１０から所定量だけ押出される。これにより、操作者は、ディスクトレイ１２の押出された部分を把持することが可能となり、以後、ディスクトレイ１２は、操作者により更に引出し位置まで引き出される。この際、一対のレール３０ａ、３０ｂはケース１０のガイド部１４ａ、１４ｂに沿って摺動し、ディスクトレイ１２と共にケース１０から引き出される。ディスクトレイ１２を図２に示した引出し位置まで引き出すことにより、ディスクトレイ１２に対して光ディスク２０を取出しあるいは装填することができる。
【００３７】
ディスクトレイ１２を装填位置に配置する場合、ディスクトレイ１２は、操作者によりを引き出し位置から装填位置まで押し込まれる。すると、一対のレール３０ａ、３０ｂもガイド部１４ａ、１４ｂに沿ってケース１０内に押し込まれる。ディスクトレイ１２が装填位置に移動され、また、レール３０ａ、３０ｂがケース１０の奥まで押し込まれると、レール３０ｂの先端部に設けられた押圧爪３７によりロックレバー５２の突起６０が押され、ロックレバー５２がロック解除位置からロック位置に回動される。これにより、ロックレバー５２はソレノイド５６によってロック位置に保持され、その結果、ディスクトレイ１２が装填位置にロックされる。
【００３８】
以上のように構成された光ディスク装置によれば、イジェクト機構を構成する圧縮コイルばね４４は、レールの収納溝４０内に配置するのみより、所定位置に保持され、所望の付勢力をディスクトレイに作用させることができる。そのため、イジェクト用のばねを取り付けるためのばね取付け部材や、ばねに取り付けられるトレイ押圧部材等が不要となり、部品点数の削減を図ることができるとともに、組立作業の簡素化を図ることが可能となる。これにより、信頼性の向上、製造コストの低減および製造性の向上を図ることが可能な光ディスク装置が得られる。
【００３９】
次に、この発明の他の実施形態に係る光ディスク装置について説明する。  
図１６および図１７に示すように、第２の実施形態によれば、レール３０ｂは、イジェクト機構の圧縮コイルばね４４が配置された収納溝４０、および圧縮コイルばねの一端が当接する当接面４２を有している。当接面４２には、固定用のボス６３が一体に成形され、収納溝４０内に突出している。そして、圧縮コイルばね４４の一端４４ｂにボス６３が挿入されている。
【００４０】
上記構成によれば、第１の実施形態と同様に、圧縮コイルばね４４を収納溝４０に容易に装着することができるとともに、ボス６３により圧縮コイルばねをより確実に位置規制することができる。
【００４１】
図１８に示すように、この発明の第３の実施形態によれば、ディスクトレイ１２に設けられたガイドリブ２９ｂは、圧縮コイルばね４４の一端に当接する当接面３１を有し、この当接面は、ディスクトレイ１２の引出し方向に対して斜めに傾斜して延びている。
【００４２】
このような構成によれば、図１８に矢印で示すように、圧縮コイルばね４４の付勢力はディスクトレイ１２の引出し方向およびこの引出し方向と直行する方向に分散される。これにより、イジェクト用の圧縮コイルばね４４により、ディスクトレイ１２のガタつきを防止し、耐振動衝撃性を向上することが可能となる。
【００４３】
図１９および図２０に示すように、この発明の第４の実施形態によれば、ディスクトレイ１２側に収納溝４０が形成され、この収納溝４０にイジェクト機構を構成する圧縮コイルばね４４が配置されている。すなわち、ディスクトレイ１２の一方の側縁には、ガイド溝６４およびこれに続いて収納溝４０が形成されている。レール３０ｂは、ディスクトレイ１２側に突出しているとともにディスクトレイの引出し方向に延びたガイドリブ６６を有している。レール３０ｂは、ガイドリブ６６がディスクトレイ１２のガイド溝６４に係合した状態で、ディスクトレイに摺動自在に取り付けられている。
【００４４】
圧縮コイルばね４４は収納溝４０内に配置され、レール３０ｂとディスクトレイとの間に保持されている。圧縮コイルばね４４の一端はディスクトレイ１２の当接面６５に当接し、他端部は、ガイド溝６４内に延出しているとともにガイドリブ６６の当接面６６ａに当接している。
【００４５】
このように、圧縮コイルばね４４をディスクトレイ１２側に配置した場合でも、前述した第１の実施形態と同様の作用、効果を得ることができる。  
なお、第２、第３、第４の実施形態において、他の構成は前述した第１の実施形態と同一であり、同一の部分には同一の参照符号を付してその詳細な説明を省略した。そして、第２、第３、第４の実施形態においても第１の実施形態と同様の作用効果を得ることができる。
【００４６】
この発明は上記実施形態そのままに限定されるものではなく、実施段階ではその要旨を逸脱しない範囲で構成要素を変形して具体化可能である。また、上記実施の形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４７】
【図１】図１は、この発明の第１の実施形態に係る光ディスク装置の外観を示す斜視図。
【図２】図２は、前記光ディスク装置のケース、ディスクトレイ、および光ディスクを示す分解斜視図。
【図３】図３は、ディスクトレイ、ケース、およびレールを示す分解斜視図。
【図４】図４は、ディスクトレイおよびレールを示す分解斜視図。
【図５】図５は、一方のレールを示す斜視図。
【図６】図６は、前記レールの一部を拡大して示す斜視図。
【図７】図７は、前記レールに圧縮コイルばねを装着した状態を示す斜視図。
【図８】図８は、前記レールおよび圧縮状態の圧縮コイルばねを示す斜視図。
【図９】図９は、前記レールの一部および圧縮コイルばねを拡大して示す斜視図。
【図１０】図１０は、ディスクトレイおよびレールの断面図。
【図１１】図１１は、ディスクトレイが装填位置にロックされた状態における光ディスク装置の上面側を示す平面図。
【図１２】図１２は、ディスクトレイが装填位置にロックされた状態における光ディスク装置の裏面側を示す平面図。
【図１３】図１３は、ロック機構を示す平面図。
【図１４】図１４は、ディスクトレイが排出された状態における光ディスク装置の上面側を示す平面図。
【図１５】図１５は、ディスクトレイが排出された状態における光ディスク装置の裏面側を示す平面図。
【図１６】図１６は、この発明の第２の実施形態に係る光ディスク装置のレールおよび圧縮コイルばねを示す斜視図。
【図１７】図１７は、この発明の第２の実施形態に係る光ディスク装置のレールおよび圧縮コイルばねを示す斜視図。
【図１８】図１８は、この発明の第３の実施形態に係る光ディスク装置のディスクトレイ、レールおよび圧縮コイルばねを示す平面図。
【図１９】図１９は、この発明の第４の実施形態に係る光ディスク装置のディスクトレイ、レールおよび圧縮コイルばねを示す断面図。
【図２０】図２０は、この発明の第４の実施形態に係る光ディスク装置のディスクトレイ、レールおよび圧縮コイルばねを示す分解斜視図。
【符号の説明】
【００４８】
１０…ケース、１０ａ…ボトムカバー、１０ｂ…トップカバー、１２…ディスクトレイ、
１４ａ、１４ｂ…ガイド部、１８…ガイド機構、２０…光ディスク、
２４…光ピックアップ、２９ａ、２９ｂ…ガイドリブ、３０ａ、３０ｂ…レール、
３１、４２…当接面、３２…ガイド溝、４０…収納溝、４４…圧縮コイルばね、
５０…ロック機構、５２…ロックレバー
【図１】
2009015999.tif 000003
【図２】
2009015999.tif 000004
【図３】
2009015999.tif 000005
【図４】
2009015999.tif 000006
【図５】
2009015999.tif 000007
【図６】
2009015999.tif 000008
【図７】
2009015999.tif 000009
【図８】
2009015999.tif 000010
【図９】
2009015999.tif 000011
【図１０】
2009015999.tif 000012
【図１１】
2009015999.tif 000013
【図１２】
2009015999.tif 000014
【図１３】
2009015999.tif 000015
【図１４】
2009015999.tif 000016
【図１５】
2009015999.tif 000017
【図１６】
2009015999.tif 000018
【図１７】
2009015999.tif 000019
【図１８】
2009015999.tif 000020
【図１９】
2009015999.tif 000021
【図２０】
2009015999.tif 000022